(57)【要約】【課題】電池部の状態及び負荷条件に応じて安定的に電源を供給できる電子装置及びその駆動制御方法を提供する。【解決手段】本発明の複数の動作モードを有する電子装置は、外部のアダプタからＤＣ電源が入力される入力部と、入力されるＤＣ電源を蓄える電池部と、第１動作モード時に電池部の電源又は入力部から入力される電源を用いて駆動し、第２動作モード時に電池部及び入力部から入力される電源を同時に用いて駆動する第１制御部と、電池部の状態に応じて、電子装置が第２動作モードに切り替わることを制限する電源制御部と、を備える。【選択図】図３
2013162745.tif 000002
【特許請求の範囲】
【請求項１】
複数の動作モードを有する電子装置であって、
外部のアダプタからＤＣ電源が入力される入力部と、
前記入力されるＤＣ電源を蓄える電池部と、
第１動作モード時に前記電池部の電源又は前記入力部から入力される電源を用いて駆動し、第２動作モード時に前記電池部及び前記入力部から入力される電源を同時に用いて駆動する第１制御部と、
前記電池部の状態に応じて、前記電子装置が前記第２動作モードに切り替わることを制限する電源制御部と、を備えることを特徴とする電子装置。
【請求項２】
前記電源制御部は、
前記電池部の充電状態を検知し、該検知された充電状態が予め設定された容量以下である場合、前記電子装置が前記第２動作モードに切り替わることを制限することを特徴とする請求項１に記載の電子装置。
【請求項３】
前記電池部は、前記電子装置と分離自在であり、
前記電源制御部は、
前記電池部の装着有無を検知し、前記電池部が前記電子装置に装着されていない場合、前記電子装置が前記第２動作モードに切り替わることを制限することを特徴とする請求項１に記載の電子装置。
【請求項４】
前記電源制御部は、
前記電子装置の動作モードに応じて、前記入力部を介して入力される電源が選択的に前記第１制御部に提供されるようにし、
前記電子装置の動作モード及び前記電池部の充電状態に応じて、前記入力部を介して入力される電源を通じて前記電池部が充電されるようにすることを特徴とする請求項１に記載の電子装置。
【請求項５】
前記入力部を介して入力される電源の電流を検知し、該検知された電流が予め設定された電流以上である場合、前記第１制御部が前記第１動作モードの電力消費より低い電力を消費する第３動作モードで作動するようにする比較回路部を更に含むことを特徴とする請求項１に記載の電子装置。
【請求項６】
前記比較回路部は、
前記入力部を介して入力される電源の電流値に対応する電圧値を生成する第１電圧生成部と、
前記予め設定された電流に対応する予め設定された基準電圧値を生成する第２電圧生成部と、
前記第１電圧生成部及び前記第２電圧生成部の各々の出力電圧を比較し、該比較結果を前記第１制御部に提供する比較器と、を含むことを特徴とする請求項５に記載の電子装置。
【請求項７】
前記電源制御部は、
前記アダプタの定格電力の情報を取得し、該取得された情報に対応する予め設定された基準電圧値を生成するように前記第２電圧生成部を制御することを特徴とする請求項６に記載の電子装置。
【請求項８】
前記電子装置が第３動作モードに切り替わると、前記電子装置が第３動作モードで作動することを表示するユーザインターフェース部を更に含むことを特徴とする請求項１に記載の電子装置。
【請求項９】
前記電子装置が第２動作モードに切り替わり、第２動作モードへの動作が予め設定された時間以上維持されると、警告メッセージを表示するユーザインターフェース部を更に含むことを特徴とする請求項１に記載の電子装置。
【請求項１０】
前記電池部の状態及び前記入力部の状態に対する情報を、前記第１制御部に提供する第２制御部を更に含むことを特徴とする請求項１に記載の電子装置。
【請求項１１】
前記第１動作モードは、
前記第１制御部が予め設定された第１熱設計消費電力（Ｔｈｅｒｍａｌ  Ｄｅｓｉｇｎ  Ｐｏｗｅｒ）で作動するモードであり、
前記第２動作モードは、
前記電池部の電源及び前記入力部から入力される電源を同時に用いて、前記第１制御部が前記第１熱設計消費電力より高い第２熱設計消費電力で作動するモードであることを特徴とする請求項１に記載の電子装置。
【請求項１２】
複数の動作モードを有する電子装置の駆動制御方法であって、
制御部が予め設定された第１熱設計消費電力で作動する第１動作モードで駆動するステップと、
前記電子装置の動作負荷に応じて外部のアダプタから提供されるＤＣ電源及び電池部の電源を用いて、前記第１熱設計消費電力より高い第２熱設計消費電力で作動する第２動作モードに切り替えるステップと、を有し、
前記第２動作モードに切り替えるステップは、
前記電池部の状態に応じて、前記電子装置が前記第２動作モードに切り替わることが制限されることを特徴とする駆動制御方法。
【請求項１３】
前記第２動作モードに切り替えるステップは、
前記電池部の充電状態を検知し、該検知された充電状態が予め設定された容量以下である場合、前記電子装置が前記第２動作モードに切り替わることを制限することを特徴とする請求項１２に記載の駆動制御方法。
【請求項１４】
前記電池部は、前記電子装置と分離自在であり、
前記第２動作モードに切り替えるステップは、
前記電池部の装着有無を検知し、前記電池部が前記電子装置に装着されていない場合、前記電子装置が前記第２動作モードに切り替わることを制限することを特徴とする請求項１２に記載の駆動制御方法。
【請求項１５】
前記入力部を介して入力される電源の電流を検知するステップと、
前記検知された電流が予め設定された電流以上である場合、前記制御部が前記第１動作モードの電力消費より低い電力を消費する第３動作モードに切り替えるステップと、を更に含むことを特徴とする請求項１２に記載の駆動制御方法。
【発明の詳細な説明】
【技術分野】
【０００１】
本発明は、電子装置及びその駆動制御方法に関し、より詳細には、電池部の状態及び負荷条件に応じて安定的に電源を供給することができる電子装置及びその駆動制御方法に関する。
【背景技術】
【０００２】
ノートパソコンは、携帯が便利で、ユーザが持ち歩けるノートサイズのパソコンのことをいう。最近のノートパソコンは、システム負荷が瞬時に増加する場合に、システムにバッテリとアダプタとが同時に電力を供給するハイブリッド電力システムを導入している。
【０００３】
しかし、ハイブリッド電力システムによる動作時に、バッテリがノートパソコンに装着されていなかったり、装着された充電容量が極めて低かったりする場合には、アダプタに高い負荷がそのままかかり、アダプタが損傷してしまうケースが存在する。
【０００４】
具体的に、従来のハイブリッド電力システムを有するノートパソコンは、アダプタから入力される電源に対する遅いレイテンシ（ｌａｔｅｎｃｙ）があるため、アダプタがＯＣＰ（過電圧保護）レベルにまで達することでアダプタ電圧が落ち、それによってシステムが異常シャットダウン（ｓｈｏｔ  ｄｏｗｎ）してデータを損失したり、アダプタの定格電力を超過したりすることが生じるという問題があった。このような問題点については、図８を参照して以下に説明する。
【０００５】
図８は、従来のハイブリッド電力システムの問題点を説明するための波形図である。
【０００６】
図８を参照すると、ノートパソコンがアダプタとバッテリの電源を同時に利用するハイブリッド電力システム（即ち、ターボモード）に切り替える過程において、瞬時にアダプタからノードパソコンに流入する電流が急激に増加することが確認できる。
【先行技術文献】
【特許文献】
【０００７】
【特許文献１】特開２００７−０７２９６２号公報
【発明の概要】
【発明が解決しようとする課題】
【０００８】
本発明は、上記従来の問題に鑑みてなされたものであって、本発明の目的は、電池部の状態及び負荷条件に応じて安定的に電源を供給できる電子装置及びその駆動制御方法を提供することにある。
【課題を解決するための手段】
【０００９】
上記目的を達成するためになされた本発明の一態様による複数の動作モードを有する電子装置は、外部のアダプタからＤＣ電源が入力される入力部と、前記入力されるＤＣ電源を蓄える電池部と、第１動作モード時に前記電池部の電源又は前記入力部から入力される電源を用いて駆動し、第２動作モード時に前記電池部及び前記入力部から入力される電源を同時に用いて駆動する第１制御部と、前記電池部の状態に応じて、前記電子装置が前記第２動作モードに切り替わることを制限する電源制御部と、を備える。
【００１０】
前記電源制御部は、前記電池部の充電状態を検知し、該検知された充電状態が予め設定された容量以下である場合、前記電子装置が前記第２動作モードに切り替わることを制限し得る。
前記電池部は、前記電子装置と分離自在であり、前記電源制御部は、前記電池部の装着有無を検知し、前記電池部が前記電子装置に装着されていない場合、前記電子装置が前記第２動作モードに切り替わることを制限し得る。
前記電源制御部は、前記電子装置の動作モードに応じて、前記入力部を介して入力される電源が選択的に前記第１制御部に提供されるようにし、前記電子装置の動作モード及び前記電池部の充電状態に応じて、前記入力部を介して入力される電源を通じて前記電池部が充電されるようにし得る。
前記電子装置は、前記入力部を介して入力される電源の電流を検知し、該検知された電流が予め設定された電流以上である場合、前記第１制御部が前記第１動作モードの電力消費より低い電力を消費する第３動作モードで作動するようにする比較回路部を更に含むことができる。
この場合、前記比較回路部は、前記入力部を介して入力される電源の電流値に対応する電圧値を生成する第１電圧生成部と、前記予め設定された電流に対応する予め設定された基準電圧値を生成する第２電圧生成部と、前記第１電圧生成部及び前記第２電圧生成部の各々の出力電圧を比較し、該比較結果を前記第１制御部に提供する比較器と、を含み得る。
この場合、前記電源制御部は、前記アダプタの定格電力の情報を取得し、該取得された情報に対応する予め設定された基準電圧値を生成するように前記第２電圧生成部を制御し得る。
前記電子装置は、前記電子装置が第３動作モードに切り替わると、前記電子装置が第３動作モードで作動することを表示するユーザインターフェース部を更に含むことができる。
前記電子装置は、前記電子装置が第２動作モードに切り替わり、第２動作モードへの動作が予め設定された時間以上維持されると、警告メッセージを表示するユーザインターフェース部を更に含むこともできる。
前記第１制御部は、中央処理装置（Ｃｅｎｔｒａｌ  Ｐｒｏｃｅｓｓｉｎｇ  Ｕｎｉｔ）、グラフィック処理装置（Ｇｒａｐｈｉｃｓ  Ｐｒｏｃｅｓｓｉｎｇ  Ｕｎｉｔ）、及びグラフィック処理装置が内蔵された中央処理装置のうちの少なくともいずれか一つであり得る。
前記電子装置は、前記電池部の状態及び前記入力部の状態に対する情報を、前記第１制御部に提供する第２制御部を更に含むことができる。
この場合、前記第２制御部は、メインボードチップセット（Ｍａｉｎ  Ｂｏａｒｄ  Ｃｈｉｐｓｅｔ）であり得る。
前記第１動作モードは、前記第１制御部が予め設定された第１熱設計消費電力（Ｔｈｅｒｍａｌ  Ｄｅｓｉｇｎ  Ｐｏｗｅｒ）で作動するモードであり、前記第２動作モードは、前記電池部の電源及び前記入力部から入力される電源を同時に用いて、前記第１制御部が前記第１熱設計消費電力より高い第２熱設計消費電力で作動するモードであり得る。
【００１１】
上記目的を達成するためになされた本発明の一態様による複数の動作モードを有する電子装置の駆動制御方法は、制御部が予め設定された第１熱設計消費電力で作動する第１動作モードで駆動するステップと、前記電子装置の動作負荷に応じて外部のアダプタから提供されるＤＣ電源及び電池部の電源を用いて、前記第１熱設計消費電力より高い第２熱設計消費電力で作動する第２動作モードに切り替えるステップと、を有し、前記第２動作モードに切り替えるステップは、前記電池部の状態に応じて、前記電子装置が前記第２動作モードに切り替わることが制限される。
【００１２】
前記第２動作モードに切り替えるステップは、前記電池部の充電状態を検知し、該検知された充電状態が予め設定された容量以下である場合、前記電子装置が前記第２動作モードに切り替わることを制限し得る。
前記電池部は、前記電子装置と分離自在であり、前記第２動作モードに切り替えるステップは、前記電池部の装着有無を検知し、前記電池部が前記電子装置に装着されていない場合、前記電子装置が前記第２動作モードに切り替わることを制限し得る。
前記駆動制御方法は、前記入力部を介して入力される電源の電流を検知するステップと、前記検知された電流が予め設定された電流以上である場合、前記制御部が前記第１動作モードの電力消費より低い電力を消費する第３動作モードに切り替えるステップと、を更に含むことができる。
前記駆動制御方法は、前記アダプタの定格電力の情報を取得するステップを更に含むことができ、前記予め設定された電流は前記取得された情報に対応する電流値であり得る。
前記駆動制御方法は、前記電子装置が第３動作モードに切り替わると、前記電子装置が第３動作モードで作動することを表示するステップを更に含むことができる。
前記制御部は、中央処理装置（Ｃｅｎｔｒａｌ  Ｐｒｏｃｅｓｓｉｎｇ  Ｕｎｉｔ）、グラフィック処理装置（Ｇｒａｐｈｉｃｓ  Ｐｒｏｃｅｓｓｉｎｇ  Ｕｎｉｔ）、及びグラフィック処理装置が内蔵された中央処理装置のうちの少なくともいずれか一つであり得る。
【発明の効果】
【００１３】
本発明の電子装置及びその駆動制御方法によれば、ハードウェアで具現される別途の比較回路部を備えるため、１ｍＳ以内に瞬時に急変動するシステムの負荷変動に対応して迅速にシステムの負荷を制限することができるようになる。
【図面の簡単な説明】
【００１４】
【図１】本発明の一実施形態による電子装置の構成図である。
【図２】図１の電源部の具体的な構成を示す図である。
【図３】本発明の一実施形態による電子装置の回路図である。
【図４】本発明の一実施形態による電子装置の動作モードの例を示す図である。
【図５】第２動作モードにおける動作時の従来の出力電圧と本実施形態による電子装置の出力電圧との波形図である。
【図６】本発明の一実施形態による電源供給方法を示すフローチャートである。
【図７】図６の電源供給方法を具体的に示すフローチャートである。
【図８】従来のハイブリッド電力システムの問題点を説明するための波形図である。
【発明を実施するための形態】
【００１５】
以下、本発明を実施するための形態の具体例を、図面を参照しながら詳細に説明する。
【００１６】
図１は、本発明の一実施形態による電子装置の構成図である。
【００１７】
図１によると、電子装置１００は、通信インターフェース部１１０、保存部１２０、ユーザインターフェース部１３０、制御部１４０、及び電源部２００で構成される。ここで、電子装置とは、ハイブリッド電力システムを適用することが可能なノートパソコンやタブレットパソコン等である。
【００１８】
このような電子装置１００は、複数の動作モードを有する。ここで、複数の動作モードは、予め設定された第１熱設計消費電力で作動する第１動作モード（又は、ノーマルモード）及び第１熱設計消費電力より高い第２熱設計消費電力で作動する第２動作モード（又は、ターボモード）を含む。第２動作モードは、第１熱設計消費電力より高い第２熱設計消費電力で作動することから、電子装置１００はアダプタからの電源及びバッテリの電源を同時に利用するハイブリッド電力システムによる電源の供給を受ける。
【００１９】
通信インターフェース部１１０は、電子装置１００を外部装置に接続するために設けられ、ローカルエリアネットワーク（ＬＡＮ：Ｌｏｃａｌ  Ａｒｅａ  Ｎｅｔｗｏｒｋ）及びインターネット網を通じて外部装置に接続される形態だけでなく、無線通信（例えば、ＧＳＭ（登録商標）、ＵＭＴＳ、ＬＴＥ、ＷｉＢＲＯ等の無線通信）方式によって接続され得る。
【００２０】
保存部１２０は、電子装置１００の駆動のためのプログラムを保存する。具体的に、保存部１２０は、電子装置１００の駆動時に必要な各種命令語の集合であるプログラムを保存する。ここで、プログラムは、特定のサービスを提供するための応用プログラムだけでなく、応用プログラムを駆動させるための運営（オペレーティング）プログラムを含む。保存部１２０は、電子装置１００内の記憶媒体、及び外部記憶媒体、例えばＵＳＢメモリを含むリムーバブルディスク、ネットワークを通じたウェブサーバ（Ｗｅｂ  Ｓｅｒｖｅｒ）等で具現される。
【００２１】
ユーザインターフェース部１３０は、電子装置１００がサポートする各種機能をユーザが設定又は選択できる複数の機能キーを備え、電子装置１００が提供する各種情報を表示する。ユーザインターフェース部１３０は、タッチパッド等のように、入力と出力とが同時に提供される装置で具現され、マウス及びモニタの結合を通した装置でも具現可能である。
【００２２】
ユーザインターフェース部１３０は、電子装置１００の現在の動作モードに対する情報を表示する。具体的に、ユーザインターフェース部１３０は、電子装置１００が第３動作モードに切り替わる場合、電子装置１００が第３動作モードに切り替わることを表示する。そして、ユーザインターフェース部１３０は、電子装置１００が第２動作モードに切り替わる場合、電子装置１００が第２動作モードに切り替わることを表示し、第２動作モードへの動作時間を表示する。ここで、第３動作モードは、第１動作モードの電力消費より低い電力を消費する動作モードである。
【００２３】
ユーザインターフェース部１３０は、電源状態に対する情報を表示する。具体的に、ユーザインターフェース部１３０は、アダプタの接続有無、電池部の装着有無、電池部の充電状態等に対する電源状態情報をユーザに表示する。
【００２４】
制御部１４０は、電子装置１００内の各構成に対する制御を行う。具体的に、制御部１４０は、第１制御部１４１及び第２制御部１４３で具現される。ここで、制御部１４１は、中央処理装置（ＣＰＵ：Ｃｅｎｔｒａｌ  Ｐｒｏｃｅｓｓｉｎｇ  Ｕｎｉｔ）、グラフィック処理装置（ＧＰＵ：Ｇｒａｐｈｉｃｓ  Ｐｒｏｃｅｓｓｉｎｇ  Ｕｎｉｔ）、又はグラフィック処理装置が内蔵された中央処理装置であり得、第２制御部１４３は、メインボードチップセットであり得る。第１制御部１４１及び第２制御部１４３の具体的な構成及び動作については、図３を参照して後述する。
【００２５】
電源部２００は、電子装置１００に含まれる各構成に電源を供給する。電源部２００の具体的な構成及び動作については、図２を参照して説明する。
【００２６】
図２は、図１の電源部の具体的な構成を示す図である。
【００２７】
図２を参照すると、電源部２００は、入力部２１０、電池部２２０、電源制御部２３０、比較回路部２４０、第１出力部２５０、及び第２出力部２６０で構成される。
【００２８】
入力部２１０には、外部のアダプタ１０からＤＣ電源が入力される。
【００２９】
電池部２２０は、入力されるＤＣ電源を蓄える。具体的に、電池部２２０は、二次電池を含み、入力部２１０を介して入力されるＤＣ電源を二次電池に充電する。ここで、二次電池は、ニッケル電池、カドミウム電池、ニッケル−カドミウム電池等である。そして、電池部２２０は、電子装置１００内の各構成に電源を供給する。
【００３０】
電源制御部２３０は、電子装置の動作モード及び電池部の充電状態に応じて入力部２１０を介して入力される電源を通じて電池部２２０が充電されるようにする。具体的に、電源制御部２３０は、電子装置１００が第１動作モードで作動し（より詳細には、第２動作モード以外の動作モードで作動する場合）、入力部２１０を介してＤＣ電源が入力されると、入力部２１０を介して入力されるＤＣ電源を用いて電池部２２０が充電されるようにする。
【００３１】
電源制御部２３０は、電子装置１００の動作モードが第２動作モードであるか、或いは電池部２２０の充電状態がフル充電状態（又は、充電済み状態）である場合、入力部２１０を介してＤＣ電源が入力される場合に、電池部２２０に充電が行われないようにする。
【００３２】
電源制御部２３０は、電子装置１００の動作モードに応じて入力部２１０を介して入力される電源が選択的に第１制御部１４１に提供されるようにする。具体的に、電源制御部２３０は、電子装置１００が第２動作モードで作動する場合に、入力部２１０を介して入力される電源と電池部２２０の電源が第１制御部１４１に同時に提供されるようにする。即ち、電源制御部２３０は、第２動作モード時にハイブリッド電力システムとして、第１制御部１４１に電源が供給されるように、電源部２００内の各構成を制御する。
【００３３】
電源制御部２３０は、電池部２２０の状態に応じて電子装置１００が第２動作モードに切り替わることを制限する。具体的に、電源制御部２３０は、電池部２２０の充電状態及び装着状態を検知し、検知された充電状態が予め設定された容量以下である場合や、電池部２２０が電子装置１００に装着されていない場合、電子装置１００が第２動作モードに切り替わることを制限する。本実施形態では、電源制御部２３０が、電子装置１００が第２動作モードに切り替わることを防止するものとして説明したが、実施形態に応じて、このような機能は後述する第１制御部１４１又は第２制御部１４３で行う形態で具現される。
【００３４】
電源制御部２３０は、入力部２１０を介して接続されたアダプタのＩＤ情報を受信することができる。そして、電源制御部２３０は、取得したＩＤ情報に対応する基準電圧が生成されるように、比較回路部２４０を制御する。
【００３５】
比較回路部２４０は、入力部２１０を介して入力される電源が予め設定された電流値以上である場合、電子装置１００が第３動作モードで作動するように、それに対する情報を制御部１４０に提供する。具体的に、比較回路部２４０は、入力部を介して入力される電源の電流を検知し、検知された電流が予め設定された電流以上である場合、第１制御部が第３動作モードで作動するようにする。ここで、第３動作モードは、第１動作モードの電力消費より低い電力を消費する動作モードである。比較回路部２４０の具体的な構成及び動作については、図３を参照して後述する。
【００３６】
第１出力部２５０は、電子装置１００内の各構成に電源を供給する。具体的に、第１出力部２５０は、電子装置１００が第１動作モードで作動時に入力部２１０を介して入力される電源又は電池部２２０の電源を選択的に電子装置１００内の各構成に供給する。そして、第１出力部２５０は、電子装置１００が第２動作モードで作動時に入力部２１０を介して入力される電源及び電池部２２０の電源を同時に制御部１４０に提供する。一方、本実施形態では、一つの第１出力部２５０を介して電子装置１００内の各構成に電源が供給されるものとして図示して説明しているが、複数の出力部を介して電子装置１００内の各構成に電源を供給する形態でも具現可能である。
【００３７】
第２出力部２６０は、電池部２２０の状態及び入力部２１０の状態に対する情報を制御部１４０に提供する。
【００３８】
第２出力部２６０は、入力部２１０を介して入力される電流が予め設定された電流値以上である場合、第３動作モードに切り替わるべきであることを報知する情報を制御部１４０に、より詳細には第１制御部１４１に提供する。本実施形態では、第２出力部２６０を介して各種情報が制御部に提供されると説明したが、実施形態として、各種情報は直接制御部１４０に提供される形態でも具現可能である。
【００３９】
図３は、本発明の一実施形態による電子装置の回路図である。
【００４０】
図３を参照すると、電子装置１００は、電池部２２０、電源制御部２３０、比較回路部２４０、第１制御部１４１、及び第２制御部１４３で構成される。
【００４１】
第１制御部１４１は、中央処理装置（ＣＰＵ：Ｃｅｎｔｒａｌ  Ｐｒｏｃｅｓｓｉｎｇ  Ｕｎｉｔ）、グラフィック処理装置（ＧＰＵ：Ｇｒａｐｈｉｃｓ  Ｐｒｏｃｅｓｓｉｎｇ  Ｕｎｉｔ）、又はグラフィック処理装置が内蔵された中央処理装置である。
【００４２】
第１制御部１４１は、電子装置１００の動作モードを決定する。具体的に、第１制御部１４１は、通常、電子装置１００が第１動作モードで作動するように制御し、高い負荷が必要な場合に選択的に電子装置１００が第２動作モードで作動するように制御し、負荷軽減が必要な場合に選択的に電子装置１００が第３動作モードで作動するように制御する。
【００４３】
このとき、第１制御部１４１は、電池部２２０及び入力部２１０の状態に基づいて、第２動作モードへの切り替えを決定する。上述のように、第２動作モードで作動時には、アダプタの電源及びバッテリの電源を同時に用いるハイブリッド電力システムとして電源を受けるが、このとき、電池部２２０が電子装置１００に装着されていないか、又は電池部２２０の充電容量が予め設定された量以下である場合には、アダプタの定格電力の超過が発生しかねないため、第１制御部１４１は、電池部２２０が電子装置１００に装着されており、電池部２２０の充電容量が予め設定された容量以上であり、入力部２１０を介してＤＣ電源が供給されている場合にのみ、電子装置１００の動作モードを第１動作モードから第２動作モードに切り替わるようにする。電池部２２０及び入力部２１０の状態による具体的な第１制御部１４１の動作状態について、図４に示している。
【００４４】
第１制御部１４１は、高い負荷が必要な状況であると判断される場合にも、電池部２２０が電子装置１００に装着されていないか、或いは装着されている場合でも、電池部２２０の充電容量が予め設定された容量以下であり、入力部２１０を介してＤＣ電源が供給されていない場合には、第２動作モードへの切り替えを制限する。
【００４５】
第１制御部１４１は、高い負荷が必要な状態が終了するか、或いは第２動作モードへの動作が予め設定された時間以上維持された場合に、電子装置１００の動作モードが、第２動作モードから第１動作モードに切り替わるようにする。
【００４６】
第１制御部１４１は、比較回路部２４０から第３動作モードへの切り替えが必要であることを報知する情報が入力されると、電子装置１００の動作モードが第３動作モードに切り替わるようにする。ここで、第３動作モードは、第１動作モード時の第１制御部の性能に比べておよそ７５％で作動させる動作モードである。
【００４７】
第２制御部１４３は、電源制御部２３０から電池部及び入力部の状態に対する情報が入力され、入力された電池部及び入力部の状態に対する情報を第１制御部１４１に提供する。このような第２制御部１４３は、メインボードチップセット（Ｍａｉｎ  Ｂｏａｒｄ  Ｃｈｉｐｓｅｔ）であり得る。
【００４８】
電源制御部２３０は、アダプタ電流検知部２３１、充電電流検知部２３３、比較回路制御部２３５、及びアダプタ制御部２３７で構成される。
【００４９】
アダプタ電流検知部２３１は、入力部２１０を介して入力される電源の電流の大きさを検知する。具体的に、アダプタ電流検知部２３１は、外部の抵抗を用いて入力部２１０を介して入力される電源の電流値を検知する。検知された電流値は第２制御部１４３に提供される。一方、本実施形態では、検知された電流値が第２制御部１４３に提供されるものとして説明したが、実施形態として、検知された電流値が予め設定された範囲内か否かだけを第２制御部１４３に提供する形態で具現され得る。
【００５０】
充電電流検知部２３３は、電池部２２０に供給される電流の大きさを検知する。具体的に、充電電流検知部２３３は、電池部２２０に供給される電源の充電電流値を外部の抵抗を用いて検知する。検知された充電電流値は第２制御部１４３に提供される。一方、本実施形態では、検知された充電電流値が第２制御部１４３に提供されるものとして説明したが、実施形態として、検知された充電電流値が予め設定された範囲内であるか否かだけを第２制御部１４３に提供する形態で具現され得る。
【００５１】
比較回路制御部２３５は、アダプタから提供されたＩＤ情報に基づいてアダプタの定格電力を判断し、定格電力に対応する定格電流を計算し、計算された定格電流に対応する基準電圧が生成されるように、比較回路部２４０の第２電圧生成部２４２を制御する。本実施形態では、アダプタからＩＤ情報を受けて、それを用いて基準電圧を調整するものとして説明したが、実施形態として、アダプタから直接定格電力又は定格電流の情報を受信する形態で具現され得、アダプタ電流検知部２３１で検知された電流に基づいて基準電圧を調整する形態でも具現され得る。
【００５２】
アダプタ制御部２３７は、アダプタからの入力電流を制限させる情報をアダプタに提供する。具体的に、アダプタ制御部２３７は、ＤＡＣ（ｄｅｄｉｃａｔｅｄ  ａｄｍｉｎｉｓｔｒａｔｏｒ  ｃｏｎｎｅｃｔｉｏｎ）ポートを用いてアダプタ１０からの入力電流が制限されるようにする。
【００５３】
比較回路部２４０は、アダプタからの入力電流が予め設定された電流値以上である場合、それに対する情報を第１制御部１４１に直接ハードウェア方式で提供する。具体的に、比較回路部２４０は、第１電圧生成部２４１、第２電圧生成部２４２、及び比較器２４３で構成される。
【００５４】
第１電圧生成部２４１は、入力部２１０を介して入力される電源の電流値に対応する電圧値を生成する。具体的に、第１電圧生成部２４１は、アダプタ電流検知部２３１で検知された電流の大きさに対応する電圧値を生成する。本実施形態では、アダプタ電流検知部２３１で検知された電流の大きさを用いる例のみを説明したが、実施形態として、アダプタ電流検知部２３１に接続された抵抗の電圧値を直接用いる形態でも具現可能である。
【００５５】
第２電圧生成部２４２は、予め設定された電流に対応する予め設定された基準電圧を生成する。具体的に、第２電圧生成部２４２は、接続されたアダプタ１０の定格電力に対応する電圧値を生成する。図示した例のように、直列接続された複数の抵抗ラインの左側に別途のスイッチング素子及び抵抗２４４を用いて電圧値を変更する形態のみを示しているが、実施形態として、可変抵抗を用いることもでき、複数のスイッチング素子及び抵抗を用いて電圧値を変更する形態でも具現可能である。
【００５６】
比較器２４３は、第１電圧生成部２４１及び第２電圧生成部２４２のそれぞれの出力電圧を比較し、比較結果を第１制御部１４１に提供する。具体的に、比較器２４３は、第１電圧生成部２４１の出力電圧が第２電圧生成部２４２の出力電圧より大きい場合、アダプタ１０の定格電力より大きい電力を出力していると判断し、それに対する情報（ＰＲＯＣＨＯＴ＃）を第１制御部１４１に提供する。
【００５７】
このように、本実施形態では、ハードウェアで具現される別途の比較回路部を備えるため、１ｍＳ以内に瞬時に急変動するシステムの負荷変動に対応して迅速にシステムの負荷を制限することができるようになる。このような本発明の効果については、図５を参照して以下で説明する。
【００５８】
図５は、第２動作モードにおける動作時の従来の出力電圧と本実施形態による電子装置の出力電圧との波形図である。具体的に、図５（ａ）は、従来の出力電圧であり、図５（ｂ）は、本実施形態による電子装置の出力電圧の波形図である。図５（ａ）を参照すると、従来はアダプタ定格を遥かに超過する８０Ｗのパワーが出力される。
【００５９】
しかし、図５（ｂ）を参照すると、アダプタ定格を超過する状況が瞬時に発生する場合であっても、比較回路部の動作によってアダプタの出力が６０Ｗに制限されることを確認することができる。
【００６０】
図６は、本発明の一実施形態による電源供給方法を示すフローチャートである。
【００６１】
図６を参照すると、先ず、電子装置１００は予め設定された第１熱設計消費電力で作動する第１動作モードで駆動中である。
【００６２】
第１動作モードで駆動時に電池部の状態を判断する（ステップＳ６１０）。具体的に、電子装置１００に電池部が装着されているか、或いは電池部が装着されている場合に電池部の充電容量が予め設定された容量以上であるかを判断する。
【００６３】
次に、判断された電池部の状態に応じて動作モードを調整する（ステップＳ６２０）。具体的に、電子装置１００の動作負荷が高いために第２動作モードに切り替わる必要がある場合、電池部が装着されており、電池部の充電容量が予め設定された容量以上である場合にのみ、第２動作モードに切り替える。
【００６４】
次に、入力部２１０を介して入力される電源の電流を検知する（ステップＳ６３０）。
【００６５】
次に、検知された入力電流に基づいて動作モードを調整する（ステップＳ６４０）。具体的に、検知された電流が予め設定された電流以上である場合、制御部が第１動作モードの電力消費より低い電力を消費する第３動作モードに切り替える。
【００６６】
図７は、図６の電源供給方法を具体的に示すフローチャートである。
【００６７】
図７を参照すると、アダプタが接続されているか否かを判断する（ステップＳ７０５）。
【００６８】
アダプタが接続されていない場合（ステップＳ７０５のＮ）、電子装置１００は正常モード（即ち、第１動作モード）で作動する（ステップＳ７１０）。このとき、電子装置１００は、電池部２２０の電源を用いて駆動される。
【００６９】
一方、アダプタが接続されている場合（ステップＳ７０５のＹ）、バッテリが装着されているか否かを判断し（ステップＳ７１５）、バッテリが装着されている場合（ステップＳ７１５のＹ）、バッテリの充電容量以上であるか否かを判断する（ステップＳ７２０）。
【００７０】
バッテリが装着されておらず、バッテリの充電容量が予め設定された容量未満である場合（ステップＳ７１５のＮ、ステップＳ７２０のＮ）には、ハイブリッド電力システムによる電力供給がなされないように設定する（ステップＳ７５０）。
【００７１】
一方、予め設定された容量以上が充電されたバッテリが装着されている場合には、システムの消費電力がアダプタの消費電力以下であるか否かを判断し（ステップＳ７２５）、システムの消費電力がアダプタの消費電力以下である場合（ステップＳ７２５のＹ）、ハイブリッド電力システムによる電力供給をする（ステップＳ７３５）。即ち、第２動作モードで作動する。
【００７２】
次に、第２動作モードに切り替わると、第２動作モードの動作が予め設定された時間以上維持されているか否かを判断し（ステップＳ７４０）、予め設定された時間以上維持されている場合、第２動作モードから第１動作モードに切り替わるようにする警告メッセージを表示する（ステップＳ７４５）。
【００７３】
一方、ハイブリッド電力システムによる電力供給がなされないように設定されている場合にも、システムの消費電力がアダプタの消費電力以下であるか否かを判断し（ステップＳ７５３）、システムの消費電力がアダプタの定格電力以下である場合には、通常モードで作動するように設定する（ステップＳ７６５）。
【００７４】
一方、システムの消費電力がアダプタの定格電力以上である場合には、第３動作モードに切り替わるように、Ｐｒｏｃｈｏｔ＃を作動させる（ステップＳ７６０）。
【００７５】
このように、本実施形態による電子装置の駆動制御方法は、安定的に電子装置１００に電源を供給することができ、比較的に簡単な回路構成を用いて瞬時に急変動するシステムの負荷変動に対しても容易に対処することができるようになる。図６及び図７のような電子装置の駆動制御方法は、図１の構成を有する電子装置上で実行され得、その他の構成を有する電子装置上で実行され得る。
【００７６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００７７】
１０    アダプタ
１００    電子装置
１１０    通信インターフェース部
１２０    保存部
１３０    ユーザインターフェース部
１４０    制御部
１４１    第１制御部
１４３    第２制御部
２００    電源部
２１０    入力部
２２０    電池部
２３０    電源制御部
２３１    アダプタ電流検知部
２３３    充電電流検知部
２３５    比較回路制御部
２３７    アダプタ制御部
２４０    比較回路部
２４１    第１電圧生成部
２４２    第２電圧生成部
２４３    比較器
２４４    スイッチング素子及び抵抗
２５０    第１出力部
２６０    第２出力部
【図１】
2013162745.tif 000003
【図２】
2013162745.tif 000004
【図３】
2013162745.tif 000005
【図４】
2013162745.tif 000006
【図５】
2013162745.tif 000007
【図６】
2013162745.tif 000008
【図７】
2013162745.tif 000009
【図８】
2013162745.tif 000010